(57)【要約】【課題】幅広のカバーのつなぎ目における隙間や段差の発生を防止し、安全な作業が可能な大型ラック用カバー構造を提供する。【解決手段】ラックＰの開口部に架設する支持金具１０を設ける。該支持金具１０の上に一端部を載置する載置カバー２０を設ける。該載置カバー２０の一端部がわに設置される連続カバー３０を設ける。載置カバー２０の一端部に沿って連続カバー３０の隣接する端部の上に係止せしめる係止片２１を設ける。連続カバー３０の載置カバー２０に隣接する端部に沿って載置カバー２０の一端部の上に係止せしめる係止片３１を設ける。これら載置カバー２０と連続カバー３０との隣接する端部上に互いの係止片２１、３１を係止して設置するように設ける。【選択図】  図１
2011188634.tif 000002
【特許請求の範囲】
【請求項１】
大型ラックの開口部を施蓋した状態で作業員が載るように設置された大型ラックのカバー構造において、ラックＰの開口部に架設する支持金具と、該支持金具の上でラックの開口部上に位置する一端部を載置する載置カバーと、該載置カバーの一端部がわに隣接設置される連続カバーとで構成され、載置カバーの一端部に沿って連続カバーの隣接する端部の上に係止せしめる係止片を設け、一方、連続カバーの載置カバーに隣接する端部に沿って載置カバーの一端部の上に係止せしめる係止片を設け、これら載置カバーと連続カバーとの隣接する端部上に互いの係止片を係止して設置するように設けたことを特徴とする大型ラック用カバー構造。
【請求項２】
前記載置カバーと連続カバーとは、前記ラックの分岐部分を施蓋する幅広のカバーとする請求項１記載の大型ラック用カバー構造。
【請求項３】
前記支持金具は、ラックの分岐部分の開口部に架設される長尺の支持金具とする請求項１記載の大型ラック用カバー構造。
【請求項４】
前記載置カバーと連続カバーとは、断面平板状又は断面山形状のカバーとする請求項１記載の大型ラック用カバー構造。
【発明の詳細な説明】
【技術分野】
【０００１】
本発明は、例えば幅が７００mmを超すような幅広ラックを施蓋するカバー構造に係り、特にこのカバーのつなぎ目の上に人が載ったときの段差を防止することができる大型ラック用カバー構造に関するものである。
【背景技術】
【０００２】
ビルの屋上に設置されるケーブルラックもしくは冷媒管ラックのように、幅の広いラックを設置する場合、施工中及び保守点検時に作業員がカバーの上に載るため、カバーを補強する対策が必要になる。
【０００３】
特許文献１には、当出願人が先に提案した大型ラック用カバー装置が記載されている。このカバー装置では、幅広のカバーを山形状に屈曲すると共に、このカバーを支持する支持金具をラックの開口部に架設することで、この強化された部分を作業員が載る歩道面とすることができるようになった。
【０００４】
更に、当出願人は、特許文献２に示す如く、カバー端部のゆがみや変形を防止するケーブルラック用カバーおよびその製造方法を提供している。この発明は、カバー自体の強度を高め、カバー端部のゆがみや変形を防止することができるようにしたものである。
【先行技術文献】
【特許文献】
【０００５】
【特許文献１】特許第２５８６９９２号公報
【特許文献２】特許第４３５６０９３号公報
【発明の概要】
【発明が解決しようとする課題】
【０００６】
特許文献１のように、カバーの開口部に支持金具Ｓを架設することで、幅広のカバーＲ上に作業員が載ることができるようになった。ところが、カバーＲのつなぎ目において、この支持金具Ｓで直接支えている位置と他のカバーＲを介して支えている位置とで、荷重によるカバーＲの撓み具合が大きく変化し、このつなぎ目に段差が生じることがあった。
【０００７】
すなわち、図１０（イ）に示す如く、支持金具Ｓの上にカバーＲを重ねていると、上部のカバーＲに荷重が加わった場合は、この荷重が下部のカバーＲを介して支持金具Ｓに加わるので、この支持金具が作業員の体重等で撓んでもカバー相互に隙間は生じない。ところが、同図（ロ）のように、下部のカバーＲに荷重が加わると、上部のカバーＲは撓まず下部のカバーＲと支持金具Ｓが撓んでしまうため、上部のカバーＲと下部のカバーＲとの間に隙間が形成され、カバーＲのつなぎ目に段差が生じることがある。特に、この傾向はラックの分岐点、たとえばＬＡ分岐やＴ分岐に使用される幅広のカバーＲのつなぎ目において顕著になり、作業者にとってこの段差は作業の安全性における課題になっている。
【０００８】
そこで、特許文献２の如く、カバーの端部を強化してカバー自体の撓みを強化する手段もあるが、カバーを強化したとしても支持金具が撓む場合は、図１０（ロ）と同様の状況になり、カバーのつなぎ目の段差は解消されない。
【０００９】
一方、支持金具を強化する場合は、図１１に示す如く、カバーＲの下に更に補強材Ｑを配して支持金具の撓みを防止する手段が有効である。ところが、この補強材Ｑをラック内に配置すると、ラック内の配線・配管用の有効スペース（図中の斜線部分）がこの補強材Ｑの体積分だけ少なくなるといった不都合が生じる。
【００１０】
また、図１２に示す如く、ラックＰの上にカバーＲを強化する補強材Ｑを配設する手段も有効である。ところが、この場合、ラック上部の補強材ＱにカバーＲを載置する状態になるので、カバーＲとラックＰとの間に大きな隙間が生じる。しかも、補強材Ｑ自体がラックＰの上部に大きく表出する。そのため、このような補強材Ｑや隙間が表出しないように、補強材の側面に目隠し用の部材を曲げ加工し、あるいは溶接する作業などが必要になり、このような作業が工事の遅延とコストアップにつながる不都合がある。
【００１１】
更に、カバーのつなぎ目に段差が生じないようにするには、隣接するカバーの端部相互を溶接やネジ止めにて一体化する手段も有効である。ところが、幅広のカバーを設置後溶接等にて一体化するには、カバーの総重量やサイズが大きなものになるため、作業者の人数を増やさなければ危険な作業になってしまう。特に、幅広ラックのカバーの中でも、ＬＡ分岐やＴ分岐に使用される縞鋼板製カバーなどは、カバーの原板よりサイズが大きくなる為、もともと分割しないと製作できないものであった。そのため、これらのカバーを接合して一体化すると、カバー全体の重量やサイズが更に大きくなり、保管スペースが増大し、運搬作業や設置作業が極めて困難になる不都合が生じる。しかも、溶接により接合した場合は、溶融亜鉛めっき後に、溶接を要因とする歪が発生し、取り付けに支障をきたし外観上の問題もある。
【００１２】
そこで本発明は上述の課題を解消すべく創出されたもので、幅広のカバーのつなぎ目における隙間や段差の発生を防止し、安全な作業が可能な大型ラック用カバー構造の提供を目的とするものである。
【課題を解決するための手段】
【００１３】
上述の目的を達成すべく本発明における第１の手段は、大型ラックの開口部を施蓋した状態で作業員が載るように設置された大型ラックのカバー構造において、ラックＰの開口部に架設する支持金具１０と、該支持金具１０の上でラックＰの開口部上に位置する一端部を載置する載置カバー２０と、該載置カバー２０の一端部がわに隣接設置される連続カバー３０とで構成され、載置カバー２０の一端部に沿って連続カバー３０の隣接する端部の上に係止せしめる係止片２１を設け、一方、連続カバー３０の載置カバー２０に隣接する端部に沿って載置カバー２０の一端部の上に係止せしめる係止片３１を設け、これら載置カバー２０と連続カバー３０との隣接する端部上に互いの係止片２１、３１を係止して設置するように設けたことにある。
【００１４】
第２の手段の前記載置カバー２０と連続カバー３０とは、前記ラックＰの分岐部分を施蓋する幅広のカバーとするものである。
【００１５】
第３の手段の前記支持金具１０は、ラックＰの分岐部分の開口部に架設される長尺の支持金具１０とする。
【００１６】
第４の手段において、前記載置カバー２０と連続カバー３０とは、断面平板状又は断面山形状のカバーとすることを課題解消のための手段とする。
【発明の効果】
【００１７】
本発明によると、請求項１のように、載置カバー２０と連続カバー３０との隣接する端部上に互いの係止片２１、３１を係止して設置するように設けた構造により、載置カバー２０に加わる荷重が係止片３１を介して連続カバー３０にも加わるようになる。この結果支持金具１０と連続カバー３０が撓んでも同じように載置カバー２０と連続カバー３０とが連なって撓むことになり、これら載置カバー２０と連続カバー３０との端部間に、従来のような隙間が生じる虞がなくなった。しかも、従来のようにラックの上やカバーの下に補強材を介する必要がなく、しかも、カバー相互を溶接等にて一体化しなくても安全な歩行が可能になり、外観上も好適なものになる。
【００１８】
また、請求項２、３の如く、ラックＰの分岐部分を施蓋する幅広のカバーや長尺の支持金具１０を本発明構造とすることで、特に面積が広くなり、カバーや支持金具１０の撓みが大きな場所でも、カバーのつなぎ目に生じていた段差を確実に防止することができる。
【００１９】
更に、請求項４のように、載置カバー２０と連続カバー３０とは、断面平板状又は断面山形状のカバーとすることで、カバーの形状に係らず、連結部分の隙間を防止することが可能である。
【図面の簡単な説明】
【００２０】
【図１】本発明の使用状態を示す要部断面図である。
【図２】本発明の一実施例を示す分解平面図である。
【図３】本発明の一実施例の設置状態を示す正面図である。
【図４】本発明の支持金具の一実施例を示す平面図である。
【図５】本発明の支持金具の一実施例を示す側面図である。
【図６】本発明の他の実施例を示す分解平面図である。
【図７】本発明の他の実施例の設置状態を示す正面図である。
【図８】本発明の支持金具の他の実施例を示す平面図である。
【図９】本発明の他の実施例の設置状態を示す正面図である。
【図１０】（イ）、（ロ）は、従来の使用状態を示す要部断面図である。
【図１１】従来の補強手段を示す概略断面図である。
【図１２】従来の補強手段を示す要部斜視図である。
【発明を実施するための形態】
【００２１】
本発明によると、支持金具１０上の載置カバー２０と連続カバー３０との隣接する端部上に互いの係止片２１、３１を係止して設置するように設けたことにより、ラックの上やカバーの下に補強材を介する必要がなく、しかも、カバー相互を溶接等にて一体化しなくても幅広のカバーのつなぎ目に段差が生じることなく安全な作業が可能になるなどといった当初の目的を達成した。
【実施例１】
【００２２】
以下、本発明の実施例を説明する。本発明構造は、大型のラックＰの開口部を施蓋する幅広のカバーを設置する際の構造であり、特に、作業員が安全に作業できるように設置される。
【００２３】
本発明の主要構成は、ラックＰの開口部に架設する支持金具１０と、該支持金具１０の上に一端部を載置する載置カバー２０と、該載置カバー２０の一端部がわに設置される連続カバー３０とからなる（図１参照）。
【００２４】
図１乃至図５は、本発明の一実施例を示している。すなわち、支持金具１０は、ラックＰのＬＡ分岐部分において、特に、ラックＰの直線部分の開口部分の幅よりも接続幅が広く形成された２枚の幅広カバーをつなぐ位置に斜めに設置している（図２参照）。
【００２５】
載置カバー２０は、支持金具１０の上に、ラックＰの開口部上に位置する一端部を載置するカバー部材で、この載置カバー２０の一端部に沿った１箇所又は複数個所に係止片２１を設ける。そして、この係止片２１を、載置カバー２０に隣接する連続カバー３０の端部の上に係止せしめる（図３参照）。図示例の係止片２１は、載置カバー２０の一端の長手中央部に溶接され、載置カバー２０と連続カバー３０との端部を付き合わせたときに、連続カバー３０の上面に重なるように屈曲形成されたものである（図１参照）。また、この載置カバー２０には、ラックＰの開口部上に位置する他端部に、隣接する直線用カバーの上に係止せしめる係止段部２２を形成している（図２参照）。更に、ラックＰの直線部分の開口部には、本発明支持金具１０よりも短い従来型の支持金具４０を架設し、この上に係止段部２２を形成した端部を載置している（図３参照）。
【００２６】
連続カバー３０は、載置カバー２０の支持金具１０がわ端部に沿って隣接設置されるカバー部材である（図２参照）。この連続カバー３０にも、１箇所又は複数個所の係止片３１を端部に沿って設けている。そして、この係止片３１を、前記載置カバー２０の一端部の上に係止せしめる（図３参照）。図示例では、前記係止片２１の両側で載置カバー２０に係止せしめる一対の係止片３１を形成している。このとき、載置カバー２０上の係止片３１が支持金具１０の上に重なる位置に設置することで、連続カバー３０の支持強度を高めることができる（図１参照）。図示例の連続カバー３０にも、ラックＰの直線側に位置する端部に、隣接する直線用のカバーの上に係止せしめる係止段部３２を形成している（図２参照）。また、ラックＰの直線側開口部には、本発明支持金具１０よりも短い従来型の支持金具４０を架設し、この上に係止段部３２を形成した端部を載置している（図３参照）。
【００２７】
本発明の支持金具１０は、ラックＰの開口部の幅広部分に架設するもので、従来型の支持金具４０よりも長く形成されている。図示の支持金具１０は、ラックＰの分岐部分の開口部に架設される部材で、ラックＰの左右の長手側面に沿った開口縁部の上に係止する一対の係止体１１と、該係止体１１に連続する支持杆体１２とで構成する（図４参照）。図示の係止体１１の形状は、特に、ラックＰの分岐部分の開口縁形状に対応している。すなわち、この係止体１１は、支持杆体１２に連結する連結片１１Ａと、この連結片１１Ａの先端から屈曲され、ラックＰの開口縁上部からラックＰの外側面に係止して固定する固定片１１Ｂとで構成している（図５参照）。そして、この固定片１１ＢがラックＰの開口縁形状に対応しているものである。図示例では、連結片１１Ａに対して略直角な位置に設けられた固定片１１Ｂと、連結片１１Ａに対して斜めの位置に設けられた固定片１１Ｂとが構成されている（図４参照）。このように係止体１１の形状は、ラックＰの開口部形状に適応する形状とする。
【００２８】
一方、支持杆体１２は、溝形鋼等の強靭な材質にて形成される。図示例では、断面略Ｃ字形状の支持杆体１２内に前記係止体１１の端部を挿入して溶接等で連結している（図４参照）。このように、本発明支持金具１０は、ラックＰの直線部分に使用する従来型の支持金具４０よりも長く、しかも、ラックＰの開口部形状に適応する形状のものが使用される（図２参照）。
【実施例２】
【００２９】
図６乃至図８は、本発明の第２実施例を示している。すなわち、支持金具１０は、ラックＰのＴ分岐部分で３枚の幅広カバーをつなぐ位置に設置している（図６参照）。この実施例では、中央に配した１枚の載置カバー２０と、この両側に配した２枚の連続カバー３０とを２本の支持金具１０でつなぎ合わせている（図７参照）。このように、ラックＰの開口部の面積が極めて広くなっている位置には、載置カバー２０や連続カバー３０の数を適宜増やすことが可能である。
【００３０】
図示例では、２本の支持金具１０に載置した載置カバー２０の中央部下面に、支持金具１０と同形状の補強支持金具５０を追加して載置カバー２０の支持強度を高めている。こうすることで、載置カバー２０の撓みを極力少なくすることができる。このとき、図示例の連続カバー３０にも、ラックＰの直線側に位置する端部のほぼ全体に、隣接するカバーの上に係止せしめる係止段部３２を形成している（図６参照）。そして、ラックＰの直線部分の開口部には、本発明支持金具１０よりも短い従来型の支持金具４０を架設し、この上に係止段部３２を形成した端部を載置している（図７参照）。この実施例で使用する支持金具１０は、連結片１１Ａに対して斜めの位置に設けた固定片１１Ｂを支持杆体１２の両端部に設けたものである（図８参照）。
【実施例３】
【００３１】
図９は、本発明の第３実施例を示している。この実施例では、ラックＰの直線部分、特に幅広の直線部分の開口部に支持金具４０を架設したものである。この支持金具４０に設置する本発明ラックカバーは、ラックＰの開口部上に位置する一端部を載置カバー２０とし他端部を連続カバー３０とするもので、１枚のカバー部材で構成されている。図示例では、ラックＰの開口部に複数本の支持金具４０を等間隔で連続架設し、本発明カバーを連続設置している。また、図示例では、本発明カバーの中央下面に補強支持金具５０を架設し、本発明カバーの支持強度を高めている。
【００３２】
このように、本発明構造では、ラックＰの開口部に支持金具４０を架設し、この支持金具４０上に載置カバー２０の一端部がかかるように載置する。次に、この載置カバー２０の上に係止片３１が係止するように連続カバー３０を設置する。この際、載置カバー２０の係止片２１が連続カバー３０の上に係止するように調整するものである。このように設置された載置カバー２０と連続カバー３０は、互いの係止片２１と係止片３１とが相手側の上に係止した状態になるので、これらカバーのつなぎ目が一体化されるものである。このように、係止片２１と係止片３１とで一体化されたつなぎ目は、撓み加減が一体化されると共に、つなぎ目の端部の強度を高めることができる。
【００３３】
また、図示例の載置カバー２０や連続カバー３０は、平板状の実施例で説明しているが前述の特許文献１にて示されている断面山形状のカバーに使用することも可能であり、各カバーの断面形状、及び平面形状の設計変更は自由である。
【産業上の利用可能性】
【００３４】
本発明は、主に配線や配管用の幅広のラックＰの開口部を施蓋するカバーとして利用されるが、通常の幅のラックＰや、他の用途のラックなどにも利用することが可能である。また、図示例に限定されるものではなく、本発明の要旨を変更しない範囲で自由な設計変更ができる。
【符号の説明】
【００３５】
Ｐ  ラック
Ｑ  補強材
Ｒ  カバー
Ｓ  支持金具
１０  支持金具
１１  係止体
１１Ａ  連結片
１１Ｂ  固定片
１２  支持杆体
２０  載置カバー
２１  係止片
２２  係止段部
３０  連続カバー
３１  係止片
３２  係止段部
４０  支持金具
５０  補強支持金具
【図１】
2011188634.tif 000003
【図２】
2011188634.tif 000004
【図３】
2011188634.tif 000005
【図４】
2011188634.tif 000006
【図５】
2011188634.tif 000007
【図６】
2011188634.tif 000008
【図７】
2011188634.tif 000009
【図８】
2011188634.tif 000010
【図９】
2011188634.tif 000011
【図１０】
2011188634.tif 000012
【図１１】
2011188634.tif 000013
【図１２】
2011188634.tif 000014